(57)【特許請求の範囲】
【請求項１】
画像に含まれる周期的パターンに対応する空間周波数成分を抑制する画像処理装置であって、
入力された前記周期的パターンに対応する空間周波数成分を、前記画像の画像信号にフィルタリング処理を施すことにより抽出した第１処理済信号を抽出する第１処理済信号抽出手段と、
前記抽出された第１処理済信号から該第１処理済信号に含まれる前記画像の被写体成分を抽出する被写体成分抽出手段と、
前記画像信号に対して、前記第１処理済信号を減算するとともに前記抽出された前記被写体成分を加算する処理を施して第２処理済信号を抽出する第２処理済信号抽出手段を備えたことを特徴とする画像処理装置。
【請求項２】
前記被写体成分抽出手段が前記第１処理済信号から所定のしきい値を超える高コントラスト成分を前記被写体成分として抽出するものであることを特徴とする請求項１記載の画像処理装置。
【請求項３】
前記しきい値は、前記画像の撮影部位や撮影条件に応じて異なるものであることを特徴とする請求項１または２記載の画像処理装置。
【請求項４】
前記画像から該画像の撮影部位を抽出する部位抽出手段をさらに備えたことを特徴とする請求項１から３のいずれか１項記載の画像処理装置。
【請求項５】
前記画像信号から前記周期的パターンに対応する空間周波数成分を検出して前記第１処理済信号抽出手段に入力する周期的パターン検出手段をさらに備えたことを特徴とする請求項１から４のいずれか１項記載の画像処理装置。
【請求項６】
前記第２処理済信号抽出手段は、前記画像信号に対して、前記第１処理済信号を減算するのちに前記抽出された前記被写体成分を加算して第２処理済信号を抽出するものであることを特徴とする請求項１から５のいずれか１項記載の画像処理装置。
【請求項７】
前記第２処理済信号抽出手段は、前記第１処理済信号から前記抽出された前記被写体成分を減算し、該減算して得られた信号を前記画像信号から減算して第２処理済信号を抽出するものであることを特徴とする請求項１から５のいずれか１項記載の画像処理装置。
【請求項８】
画像に含まれる周期的パターンに対応する空間周波数成分を抑制する画像処理方法であって、
入力された前記周期的パターンに対応する空間周波数成分を、前記画像の画像信号にフィルタリング処理を施すことにより抽出した第１処理済信号を抽出し、
前記抽出された第１処理済信号から該第１処理済信号に含まれる前記画像の被写体成分を抽出し、
前記画像信号に対して、前記第１処理済信号を減算するとともに前記抽出された前記被写体成分を加算する処理を施して第２処理済信号を抽出することを特徴とする画像処理方法。
【請求項９】
画像に含まれる周期的パターンに対応する空間周波数成分を抑制する画像処理プログラムであって、
コンピュータを、
入力された前記周期的パターンに対応する空間周波数成分を、前記画像の画像信号にフィルタリング処理を施すことにより抽出した第１処理済信号を抽出する第１処理済信号抽出手段と、
前記抽出された第１処理済信号から該第１処理済信号に含まれる前記画像の被写体成分を抽出する被写体成分抽出手段と、
前記画像信号に対して、前記第１処理済信号を減算するとともに前記抽出された前記被写体成分を加算する処理を施して第２処理済信号を抽出する第２処理済信号抽出手段として機能させることを特徴とする画像処理プログラム。
【発明の詳細な説明】
【技術分野】
【０００１】
本発明は、画像信号における周期的パターンに応じた空間周波数成分を抑制する周期的パターン抑制処理方法および装置に関するものである。
【背景技術】
【０００２】
従来より、放射線（Ｘ線、α線、β線、γ線、電子線、紫外線等）を照射するとこの放射線エネルギーの一部が蓄積され、その後、可視光やレーザ光などの励起光を照射すると、蓄積された放射線エネルギーに応じて輝尽発光光が発光される蓄積性蛍光体（輝尽性蛍光体）を利用して、例えば支持体上にこの蓄積性蛍光体を積層した蓄積性蛍光体シートに人体などの被写体を透過した放射線を照射することにより、放射線画像情報を一旦蓄積記録し、この蓄積性蛍光体シートにレーザ光などの励起光を照射して、輝尽発光光を生じさせ、この輝尽発光光を光電変換して画像信号を得る放射線画像読取装置がCR（Computed Radiography）として、広く実用に供されている。
【０００３】
ここで、上述した蓄積性蛍光体シートなどに被写体の放射線画像を撮影記録する際に、被写体により散乱された放射線がシートに照射されないように４本／mm程度の細かなピッチで放射線の透過しない鉛等と透過しやすいアルミニウムや木材等とが交互に配置されたグリッドを被写体とシートとの間に配置して撮影を行うことがある。グリッドを用いて撮影を行うと被写体により散乱された放射線がシートに照射されにくくなるため、被写体の放射線画像のコントラストを向上させることができるが、このグリッド像が含まれた画像を拡大縮小すると、拡大縮小率に応じて折り返しによるエリアジングが生じる。さらに、エリアジングがグリッド像等の空間周波数と重なると、細かな縞模様（モアレ）が生じ、再生画像が見難いものとなってしまう。
【０００４】
特許文献１には、このような周期的パターンを画像から除去する方法として、グリッド像の縞模様の並び方向に一次元ハイパスフィルタ処理を施し、更にグリッド像の縞模様と平行な方向に一次元ローパスフィルタ処理を施してグリッド像に応じた空間周波数成分を原画像から抽出し、抽出された空間周波数成分を原画像から差し引くグリッド像除去方法が開示されている。
【０００５】
また、特許文献２のように、被写体からの散乱放射線を除去するためのグリッドを使用した放射線撮影により得られた被写体の放射線画像データを処理する放射線画像処理において、グリッド成分を含む被写体の放射線画像データから第１の画像成分すなわちグリッド成分を表すデータ（帯域成分）をまず抽出し、この第１の画像成分データに基づいて、上記放射線画像データに含まれるグリッドに起因する第２の画像成分のデータを生成し、この生成された第２の画像成分データすなわちグリッドに起因する成分のデータをもとの放射線画像データすなわちグリッド成分を含む全体画像から除去して、グリッドによるアーチファクトを効果的に除去した画像を得る方法が提案されている。
【０００６】
また、特許文献３のように、グリッド像として除去しきれなかったグリッド像のとれ残りを元画像から減算するために、原画像からバンドパスフィルタにより抽出したバンドパスグリッド画像及びハイパスフィルタにより抽出したハイパスグリッド画像を取得し、両グリッド画像の差分をとった差分画像に対してグリッドパターンと平行な方向に低域通過処理を行った差分グリッド画像（バンドパスで抽出しきれてないグリッド周波数成分）を取得し、差分グリッド画像とバンドパスグリッド画像を加算した画像を原画像から差し引くグリッド除去方法が開示されている。
【先行技術文献】
【特許文献】
【０００７】
【特許文献１】特開２００３−１５０９５４号公報
【特許文献２】特許３４４５２５８号公報
【特許文献３】特開２０１０−２４０２５９号公報
【発明の概要】
【発明が解決しようとする課題】
【０００８】
ここで、画像診断に適した高品質な画像を得るためには、被写体を表す成分をできるだけ除去しないで、モアレ等の周期的パターンを除去したいという要求がある。しかし、特許文献１乃至３に記載された方法では、検出された周期的パターンに対応する所定の帯域の空間周波数成分を画像から除去する場合、所定の帯域に含まれる被写体を表す被写体成分も一緒に除去されてしまうという問題があった。特に、被写体を表す被写体成分を多く含む低い空間周波数帯域にグリッドに起因するモアレ成分が存在する場合、特許文献１乃至３に記載された方法では画像の品質の劣化が著しかった。
【０００９】
本発明は上記の事情に鑑みてなされたものであり、周期的パターンに対応する周波数成分のうち被写体成分を抽出して現画像に還元することができる画像処理装置および画像処理方法ならびに画像処理プログラムを提供することを目的とする。
【課題を解決するための手段】
【００１０】
本発明による画像処理装置は、画像に含まれる周期的パターンに対応する空間周波数成分を抑制する画像処理装置であって、入力された前記周期的パターンに対応する空間周波数成分を、前記画像信号にフィルタリング処理を施すことにより抽出した第１処理済信号を抽出する第１処理済信号抽出手段と、前記抽出された第１処理済信号から該第１処理済信号に含まれる前記画像の被写体成分を抽出する被写体成分抽出手段と、前記画像信号に対して、前記第１処理済信号を減算するとともに前記抽出された前記被写体成分を加算する処理を施して第２処理済信号を抽出する第２処理済信号抽出手段を備えたことを特徴とするものである。
【００１１】
本発明による画像処理方法は、画像に含まれる周期的パターンに対応する空間周波数成分を抑制する画像処理方法であって、入力された前記周期的パターンに対応する空間周波数成分を、前記画像信号にフィルタリング処理を施すことにより抽出した第１処理済信号を抽出し、前記画像信号に対して、前記第１処理済信号を減算するとともに前記抽出された前記被写体成分を加算する処理を施して第２処理済信号を抽出することを特徴とするものである。
【００１２】
本発明による画像処理プログラムは、画像に含まれる周期的パターンに対応する空間周波数成分を抑制する画像処理プログラムであって、コンピュータを、入力された前記周期的パターンに対応する空間周波数成分を、前記画像信号にフィルタリング処理を施すことにより抽出した第１処理済信号を抽出する第１処理済信号抽出手段と、前記抽出された第１処理済信号から該第１処理済信号に含まれる前記画像の被写体成分を抽出する被写体成分抽出手段と、前記画像信号に対して、前記第１処理済信号を減算するとともに前記抽出された前記被写体成分を加算する処理を施して第２処理済信号を抽出する第２処理済信号抽出手段として機能させることを特徴とするものである。
【００１３】
上記「周期的パターン」とは、原画像が含む周期的なパターンを持ったノイズを意味する。例えば、上記グリッドを利用して放射線画像を蓄積性蛍光体シートに撮影したときに原画像に含まれるグリッド像やモアレ等を意味する。
【００１４】
また、上記「入力された」周期的パターンに対応する空間周波数成分には、周期的パターンに対応する空間周波数成分がいかなる方法で入力されたものも含む。例えば、既知の周期的パターンに対応する空間周波数成分がユーザのマニュアル入力に基づいて入力されたものであってもよいし、前記画像処理装置が、前記画像信号から前記周期的パターンに対応する空間周波数成分を検出して前記第１処理済信号抽出手段に入力する周期的パターン検出手段をさらに備え、かかる周期的パターン検出手段により検出された周期的パターンに対応する空間周波数成分が入力されたものであってもよい。
【００１５】
本画像処理装置における前記被写体成分抽出手段は、前記第１処理済信号から所定のしきい値を超える高コントラスト成分を前記被写体成分として抽出するものであることが好ましい。
【００１６】
ここで、コントラストは、画像の濃度値よって表される明るい部分と暗い部分との濃度値の差のことを意味し、高コントラストとは周辺画素との濃度値の差の絶対値が所定のしきい値より大きいことを意味する。
【００１７】
また、前記しきい値は、前記画像の撮影部位や撮影条件に応じて異なるものであってもよい。なお、画像の撮影部位や撮影条件は、原画像の撮影装置において指定される上記撮影条件や撮影部位の情報などの撮影メニューを利用して取得してもよく、ユーザのマニュアル操作により入力された被写体の臓器や病変などの撮影部位情報を利用してもよい。また、本発明による画像処理装置は、前記画像から該画像の撮影部位を抽出する部位抽出手段をさらに備え、抽出された撮影部位情報を利用してもよい。例えば、本出願人により提案されている、特開２００２−１０９５４８号公報、特開２００３−６６６１号公報に記載された基準となる平均的な心胸郭の輪郭と略相似形のテンプレートを用いてテンプレートマッチング処理を行なって胸郭を自動検出する方法を用いてもよい。
【００１８】
本画像処理装置における第２処理済信号抽出手段は、画像信号に対して、最終的に第１処理済信号を減算するとともに被写体成分を加算した第２処理済信号を抽出できるものであれば、任意の順番で画像信号から第１処理済信号の減算および被写体成分の加算を行ってよい。例えば、画像信号に対して、前記第１処理済信号を減算するのちに前記抽出された前記被写体成分を加算して第２処理済信号を抽出するものであってもよい。また、第２処理済信号抽出手段は、前記第１処理済信号から前記抽出された前記被写体成分を減算し、該減算して得られた信号を前記画像信号から減算して第２処理済信号を抽出するものであってもよい。
【発明の効果】
【００１９】
本発明の画像処理装置、画像処理方法および画像処理プログラムによれば、入力された周期的パターンに対応する空間周波数成分を、画像信号にフィルタリング処理を施すことにより第１処理済信号を抽出し、抽出された第１処理済信号から第１処理済信号に含まれる画像の被写体成分を抽出し、画像信号に対して、第１処理済信号を減算するとともに抽出された被写体成分を加算する処理を施して第２処理済信号を抽出するため、周期的パターンに対応する周波数成分のうち被写体成分を抽出して現画像に還元することができ、診断に重要な情報である被写体を表す成分を維持しつつ、モアレ等の周期的パターンのみを除去することができる。この結果、第２処理画像として画像診断に適した高品質な画像を得ることができる。
【図面の簡単な説明】
【００２０】
【図１】放射線画像撮影装置の概略を示した図
【図２】グリッド撮影により得られた放射線画像を示す図
【図３】放射線画像読取装置の一例を示す斜視図
【図４】走査方向と読取画像との関係を示した図
【図５】本発明による画像処理装置の第１の実施の形態の概略構成図
【図６】第１処理済画像から高コントラスト成分を抽出するルックアップテーブルの例
【図７】第１の実施形態の変形例による画像処理装置の概略構成図
【発明を実施するための形態】
【００２１】
以下、図面を参照して本発明の実施の形態を説明する。尚、以下の実施の形態では、本発明における周期的パターン抑制処理装置を放射線画像読取装置に用いた場合について説明するが、デジタルカメラ等を用いた通常撮影において網戸やブラインド等を介して撮影した際に撮影画像に含まれる周期的パターンを抑制するための画像処理装置等に用いられてもよい。尚、放射線画像読取装置は、蓄積性蛍光体シートに記録された人体の放射線画像をレーザビーム走査によりデジタル画像信号として読み取るものである。
【００２２】
図１は放射線画像撮影装置の概略図である。放射線源１から放射された放射線２は、被写体３を透過して静止グリッド（以下、単に「グリッド」と表記する）４に到達する。グリッド４は放射線２を吸収する鉛４ａと、放射線２を透過するアルミニウム４ｂとが例えば４本／ｍｍ程度のピッチで交互に配置されているものである。また、放射線２がアルミニウム４ｂを透過して蓄積性蛍光体シート１１に入射するように鉛４ａは位置に応じて多少傾きを変化させて設置されている。
【００２３】
従って、被写体３を透過した放射線２は、鉛４ａに吸収されて蓄積性蛍光体シート１１への到達を遮られる一方で、アルミニウム４ｂを透過して蓄積性蛍光体シート１１に到達する。蓄積性蛍光体シート１１には被写体像と共に４本／ｍｍの縞模様状のグリッド像が記録される。一方、被写体３内で散乱された散乱放射線２ａは、位置に応じて傾きを持って設置された鉛４ａによって吸収され、又はグリッド４の表面で反射するため、蓄積性蛍光体シート１１には到達しない。従って、蓄積性蛍光体シート１１は散乱放射線２ａの照射の少ない鮮明な放射線画像を記録することができる。図２は、図１に示した放射線画像撮影装置を用いて撮影した際に蓄積性蛍光体シート１１に蓄積記録された被写体像５とグリッド像６の放射線画像の一例である。
【００２４】
図３は、放射線画像読取装置の斜視図と機能ブロック図を組み合わせた図である。読取部１０の所定位置にセットされた蓄積性蛍光体シート１１は、駆動手段（不図示）によって駆動されるエンドレスベルト等のシート搬送手段１５によって、例えば走査ピッチ１０本／ｍｍで矢印Ｙ方向に搬送（副走査）される。一方、レーザ光源１６から発せられた光ビーム１７は、モータ２４により駆動され矢印方向に高速回転する回転多面鏡１８によってｆθレンズ等の集束レンズ１９に向けて反射される。光ビーム１７は集束レンズ１９を通過した後、ミラー２０によって蓄積性蛍光体シート１１に向けて反射される。蓄積性蛍光体シート１１は光ビーム１７によって副走査方向（矢印Ｙ方向）と略直角な矢印Ｘ方向に主走査される。
【００２５】
蓄積性蛍光体シート１１において光ビーム１７が照射された箇所からは蓄積記録されている放射線画像情報に応じた光量の輝尽発光光２１が発散される。輝尽発光光２１は光ガイド２２の入射端面２２ａから入射し、光ガイド２２内の内部を全反射を繰り返して出射端面２２ｂから出射する。出射された輝尽発光光２２はフォトマルチプライヤ２３によって受光されて光電変換され、アナログ画像信号Ｓａに変換される。
【００２６】
アナログ画像信号Ｓａはログアンプ２６によって対数的に増幅された後、Ａ／Ｄ変換器２８において空間周波数ｆｓ＝１０ｃｙｃｌｅ／ｍｍに対応するサンプリング間隔でサンプリングされてデジタル化され、デジタル画像信号Ｓｄ（以下、単に「画像信号Ｓｄ」と表記する）を出力する。この画像信号Ｓｄは、図４に示すように、蓄積性蛍光体シート１１に対して主走査方向（横方向）に光ビーム１７を走査させながら蓄積性蛍光体シート１１を副走査方向（縦方向）に移動させることにより蓄積性蛍光体シート１１を２次元走査して得られた放射線画像情報を示す。尚、このようにして得られた画像信号Ｓｄには、被写体３に対応する放射線画像５の情報の他に、グリッド４に対応するグリッド像６の情報も含まれている。
【００２７】
画像信号Ｓｄは一旦記憶部２９に記憶された後、画像信号処理部３０に入力される。画像信号処理部３０は本発明における画像処理方法を実行するための画像処理装置４０を備えている。
【００２８】
図５は第１の実施の形態の画像処理装置４０の概略構成を表すブロック図である。図６は本実施形態による被写体成分抽出処理を説明する図であり、図７は本実施形態の変形例の画像処理装置４０の概略構成を表すブロック図である。図５乃至７を用いて、本実施形態による画像処理装置４０について以下説明する。
【００２９】
本実施形態の画像処理装置４０は、画像に含まれる周期的パターンに対応する空間周波数成分を抑制する画像処理装置であって、画像信号から周期的パターンに対応する空間周波数成分を検出する周期的パターン検出手段４１と、画像信号にフィルタリング処理を施して、検出された周期的パターンに対応する空間周波数成分を抽出した第１処理済信号を抽出する第１処理済信号抽出手段４２と、抽出された第１処理済信号から第１処理済信号に含まれる画像の被写体成分を抽出する被写体成分抽出手段４３と、画像信号に対して、第１処理済信号を減算するとともに抽出された被写体成分を加算する処理を施して第２処理済信号を抽出する第２処理済信号抽出手段４４、４５とを備えるものである。
【００３０】
本実施形態における画像処理プログラムと画像処理プログラムが参照するデータは、インストール時に記憶部２９に記憶され、起動時に記憶部２９に含まれるメモリにロードされる。画像処理プログラムは、画像処理装置４０を構成する画像処理部３０の中央処理装置に実行させる処理として、周期的パターン検出処理と、第１処理済信号抽出処理と、被写体成分抽出処理と、第２処理済信号抽出とを規定している。そして、プログラムの規定にしたがって、中央処理装置が上記各処理を実行することにより、画像処理部３０の中央処理装置は、周期的パターン検出手段４１、第１処理済信号抽出手段４２、被写体成分抽出手段４３、第２処理済信号抽出手段４４、４５として機能する。
【００３１】
図５に示すように、周期的パターン検出手段４１は、記憶部２９から画像信号Ｓｄを読出して、本出願人の出願である特許文献１または特開２００３−２３３８１８号公報に記載されたような周知の方法により周期的パターンに対応する空間周波数を検出する。第１処理済信号抽出手段４２は、空間周波数帯域を除去するハイパスフィルタまたはバンドパスフィルタから構成され、検出された周期的パターンに対応する空間周波数帯域を通過させるフィルタリング処理を行う。ここでは、第１処理済信号抽出手段４２は、記憶部２９から画像信号Ｓｄに対し画像水平方向および垂直方向の両方に１次元ハイパスフィルタ（ＨＰＦ）処理を施すことにより第１処理済信号Ｓｈを抽出する。なお、第１処理済信号抽出手段４２は、画像信号Ｓｄに対し周期的パターンに対応する空間周波数帯域を通過させるフィルタリング処理を行い第１処理済信号Ｓｈを抽出するものであれば、いかなるフィルタを用いてもよく、１次元フィルタによりフィルタリング処理を施してもよく、２次元フィルタによりフィルタリング処理を施してもよい。
【００３２】
被写体成分抽出手段４３は第１処理済信号Ｓｈから所定のしきい値を超える高コントラスト成分を前記被写体成分として抽出するものであり、後述するように、第１処理済信号Ｓｈを取得し、第１処理済信号Ｓｈのコントラストｓｃに基づいてルックアップテーブルｆｓ[ｓｃ]を参照して、被写体成分として高コントラスト成分を表す信号Ｓｃを第１処理済信号から抽出する。
【００３３】
図６を用いて、被写体成分抽出手段４３が、被写体成分として第１処理済信号に含まれる高コントラスト成分を抽出する処理を以下に説明する。
【００３４】
被写体成分抽出手段４３は、第１処理済信号Ｓｈのコントラストを解析し、第１処理済信号Ｓｈのコントラストに応じてルックアップテーブルｆｓ[ｓｃ]に基づく関数処理を施す。図６上図は、第１処理済信号Ｓｈのコントラストを表すヒストグラムであり、図６下図は、被写体成分抽出手段４３によって用いられる関数のグラフである。同下図に示すグラフは、横軸が入力ｓｃ（即ち、第１処理済信号Ｓｈのコントラスト）であり、縦軸が出力（即ち、ｆｓ[ｓｃ]）となっている。ｆｓ[ｓｃ]は、ε１≦ｓｃ≦ε２の場合、出力＝０とし、ｓｃ＞ε２、及びｓｃ＜ε１の場合、出力は信号Ｓｈに比例して増減するグラフとなっている。つまり、図６上図のε１より小さい成分およびε２より小さい成分のみが高コントラスト成分として抽出される。また、本実施形態においては、図６下図に示したルックアップテーブルｆｓに示されるように、第１処理済信号Ｓｈのコントラストｓｃが大きいほど、出力ｆｓ[ｓｃ]）の絶対値が大きくなる。
【００３５】
図６下図に対応する式は以下の通りとなる。
【数１】
0005698577.tif 000002
尚、本実施例における図６下図の示すルックアップテーブルｆｓ[ｓｃ]は、コントラストｓｃとしきい値ε１の差分またはコントラストｓｃとε２の差分を出力するものとしたが、かかる入力信号と出力信号の対応付けは周知の方法により任意に設定でき、例えば、入力信号をそのまま出力信号としてもよく、出力信号をコントラストｓｃに対して適宜重み付けしたものとしてもよい。
【００３６】
本実施形態における第２処理済信号抽出手段は、減算器４４と加算器４５により構成される。減算器４４は、画像信号Ｓｄから第１処理済信号Ｓｈを減算し、その後、加算器４５は高コントラスト成分を表す信号Ｓｃを加算して、周期的パターンを抑制した画像である、第２処理済信号Ｓｐを抽出する。なお、第２処理済信号Ｓｐ＝（画像信号Ｓｄ−第１処理済信号Ｓｈ＋第１処理済信号のうち被写体成分に対応する信号Ｓｃ）である。そして、この第２処理済信号Ｓｐに対応する画像がモニタ等の表示手段（不図示）に表示され、又はプリンタ等の出力手段（不図示）に出力される。
【００３７】
本実施形態によれば、周期的パターンに対応する周波数成分のうち被写体成分を抽出して現画像に還元することができ、モアレ等の周期的パターンの周波数帯域に含まれる被写体を表す成分を維持しつつ、モアレ等の周期的パターンのみを除去することができる。この結果、第２処理画像として画像診断に適した高品質な画像を得ることができる。
【００３８】
従来の特許文献１乃至３には、高周波成分として抽出されるグリッド像の除去が開示されているが、これらの方法を低周波成分として検出されるモアレに対して適用した場合には、低周波成分に多く含まれる被写体成分をモアレ成分とともに取り除いてしまい、処理後の画像の被写体成分が劣化して画像診断に好適な画像品質を保つことが難しかった。しかしながら、本実施形態の画像処理方法を低周波成分として検出されたモアレに適用した場合には、モアレ等の周期的パターンの周波数帯域に含まれる被写体を表す成分を加算した第２処理済画像を生成できるため、従来技術に比べて低周波成分に多く含まれる被写体成分を維持しつつモアレ成分のみを好適に除去できる。
【００３９】
また、本発明者の鋭意検討により、実際に撮像して得られた被写体に対して、グリッドの周期的パターンの折り返し歪みとして発生するモアレは相対的に低コントラストなものとなるという傾向が分かってきた。このため、本実施形態によれば、被写体成分として高コントラスト成分を用いることにより、折り返し歪みであるモアレ縞のように、周期的パターンに対応する周波数成分のうち低コントラスト成分のみを集中的に除去することができる。このことにより、好適に被写体成分を維持した高品質な画像を得ることができる。
【００４０】
なお、本実施形態の変形例について以下に記す。
【００４１】
なお、本実施形態において、第２処理済信号Ｓｐ＝（画像信号Ｓｄ−第１処理済信号Ｓｈ＋第１処理済信号のうち被写体成分に対応する信号Ｓｃ）で表される信号Ｓｐが得られるものであれば、上記のような減算器４４による減算処理と加算器４５による加算処理はどちらが先に実行されてもよく、いかなる方法で第１処理済信号のうち被写体成分に対応する信号Ｓｃを第２処理済信号Ｓｐに還元するものであってよい。例えば、上記実施形態のように、第２処理済信号抽出手段が、画像信号に対して、第１処理済信号を減算するのちに抽出された被写体成分を加算して第２処理済信号を抽出するものであってもよく、例えば、図７に示すように、第２処理済信号抽出手段が、減算器４６および減算器４７から構成されるものであってもよい。この場合、減算器４６が第１処理済信号Ｓｈから抽出された被写体成分を表す信号Ｓｃを減算し、減算して得られた信号Ｓｉを減算器４７が画像信号Ｓｄから減算して第２処理済信号Ｓｐを抽出することが考えられる。
【００４２】
なお、上記実施形態におけるルックアップテーブルｆｓにおいて、撮影部位や撮影条件等に応じて、しきい値ε１および／またはε２の値を任意の値に設定してよい。例えば、図６上図のヒストグラムの上位（下位）Ｎ％（Ｎ＝３，５，など）を抽出するようにε１、ε２を設定してもよい。また、同ヒストグラムの標準偏差σを算出し、ε１＝ε２＝±Ｎｘσ（Ｎ＝１．５，２．０，など）と設定してもよい。例えば、記憶部２９に、撮影部位や撮影条件ごとにしきい値を対応付けた対応付けテーブルを予め記憶しておき、被写体成分抽出手段が、かかる対応付けテーブルに基づいて処理対象である画像の撮影部位や撮影条件に対応付けられたしきい値条件を特定し、特定されたしきい値条件を用いて高コントラスト成分を抽出することが考えられる。
【００４３】
上記場合には、撮影部位や撮影条件に応じたしきい値条件に応じて適切に被写体成分を抽出することができるため、好適に第２処理済信号を抽出することができる。結果として、より高品質な処理済画像を生成することができる。
【００４４】
また、上記実施形態におけるルックアップテーブルｆｓにおいて、撮影部位や撮影条件等に応じて、ルックアップテーブルｆｓを異ならせてもよい。例えば、撮影部位や撮影条件等に応じて、ルックアップテーブルｆｓを複数の関数（例えば、関数ｆｓ、関数ｆｓ１、関数ｆｓ２等）から選択可能にしてもよい。この場合に、画像の撮影部位や撮影条件は、原画像の撮影装置において指定される上記撮影条件や撮影部位の情報などの撮影メニューを利用して取得してもよく、ユーザのマニュアル操作により入力された被写体の臓器や病変などの撮影部位情報を利用してもよい。撮影部位や撮影条件に応じたルックアップテーブルにより適切に被写体成分を抽出することができるため、好適に第２処理済信号を抽出することができる。結果として、より高品質な処理済画像を生成することができる。
【００４５】
また、上記画像処理装置４０は、図７に示すように画像の撮影部位を抽出する部位抽出手段４８をさらに備え、抽出された撮影部位情報を利用してもよい。撮影部位情報の抽出方法として、部位又は病変などが抽出できるものであればいかなる方法を適用してもよい。例えば、本出願人により提案されている、特開２００２−１０９５４８号公報、特開２００３−６６６１号公報に記載された基準となる平均的な心胸郭の輪郭と略相似形のテンプレートを用いてテンプレートマッチング処理を行なって胸郭を自動検出する方法を用いてもよい。
【００４６】
なお、かかる場合には、被写体成分抽出手段４３は、ユーザによる撮影部位の入力操作を必要とせず、自動抽出された結果に基づいて撮影部位を抽出でき、抽出された撮影部位に基づいて適切に被写体成分を抽出することができる。このため、ユーザは容易に撮影部位に応じた高品質な処理済画像を生成することができる。また、被写体成分抽出手段４３が撮影メニューから撮影部位または撮影条件を自動抽出して、自動抽出された結果に基づいて被写体成分を抽出した場合にも同じ効果が得られる。
【００４７】
本実施形態において被写体成分は、被写体の成分を表すものであれば、高コントラスト成分以外のいかなる成分を用いてもよい。
【００４８】
また、本実施形態において、絶縁基板上に夫々が画素に対応する複数個の光電変換素子を２次元状に形成した放射線画像読取装置であって、この放射線画像読取装置上に形成された画像情報を担持する放射線が照射されると照射された放射線を可視光に変換する蛍光体層（シンチレータ）を積層して成る放射線固体検出器（以下、「光変換方式」の放射線固体検出器という）を用いた放射線画像読取装置に本発明を適用した例について説明したが、本発明は、上記実施形態に限定されず種々のタイプの放射線固体検出器を用いた放射線画像読取装置に適用可能である。例えば、絶縁基板上に夫々が画素に対応する複数個の電荷収集電極を２次元状に形成した放射線画像読取装置であって、この２次元画像読取装置上に形成された、画像情報を担持する放射線が照射されると前記画像情報を担持する電荷を発生する放射線導電体とを積層して成る放射線固体検出器（以下、「直接変換方式」の放射線固体検出器という）を用いた放射線画像撮影装置に適用してもよい。
【００４９】
また、光変換方式の放射線固体検出器としては、例えば特開昭59-211263 号、特開平2-164067号、ＰＣＴ国際公開番号ＷＯ92/06501号、Signal,noise,and read out considerations in the development of amorphous silicon photodiode arrays for radiotherapy and diagnostic x-ray imaging，L.E.Antonuk et.al ，University of Michigan，R.A.Street Xerox，PARC，SPIE Vol.1443 Medical Imaging V;Image Physics(1991) ，p.108-119 等に記載された放射線固体検出器が適用できる。
【００５０】
一方、直接変換方式の放射線固体検出器としては、例えば、(i) 放射線の透過方向の厚さが通常のものより10倍程度厚く設定された放射線固体検出器（MATERIAL PARAMETERS IN THICK HYDROGENATED AMORPHOUS SILICON RADIATION DETECTORS,Lawrence Berkeley Laboratory.University of California,Berkeley.CA 94720 XeroxParc.Palo Alto.CA 94304)、あるいは(ii)放射線の透過方向に、金属板を介して２つ以上積層された放射線固体検出器(Metal/Amorphous Silicon Multilayer Radiation Detectors,IEE TRANSACTIONS ON NUCLEAR SCIENCE.VOL.36.NO.2.APRIL 1989) 、あるいは(iii) ＣｄＴｅ等を使用した放射線固体検出器（特開平1-216290号）等に記載された放射線固体検出器が適用できる。
【００５１】
上記の各実施形態はあくまでも例示であり、上記のすべての説明が本発明の技術的範囲を限定的に解釈するために利用されるべきものではない。この他、上記の実施形態におけるシステム構成、ハードウェア構成、処理フロー、モジュール構成や具体的処理内容等に対して、本発明の趣旨から逸脱しない範囲で様々な改変を行ったものも、本発明の技術的範囲に含まれる。
【符号の説明】
【００５２】
１     放射線源
２     放射線
３     被写体
４     グリッド
５     被写体像
６     グリッド線
１０  読取部
２９   記憶部
３０  画像処理部
４０  画像処理装置
４１  周期的パターン検出手段
４２  第１処理済画像生成手段
４３  被写体成分抽出手段
４４、４６、４７  減算器（第２処理済画像生成手段）
４５  加算器（第２処理済画像生成手段）
４８  撮影部位抽出手段
ｆｓ   ルックアップテーブル
【図１】
0005698577.tif 000003
【図２】
0005698577.tif 000004
【図３】
0005698577.tif 000005
【図４】
0005698577.tif 000006
【図５】
0005698577.tif 000007
【図７】
0005698577.tif 000008
【図６】
0005698577.tif 000009